(57)【要約】      （修正有）【課題】時間および／または周波数のリソース群の高い利用率を達成するために通信を実行するための方法及び端末装置を提供する。【解決手段】方法は、複数の候補送信パターンのセットから、ターゲット送信パターンを決定する。各候補送信パターンは、ダウンリンク（ＤＬ）送信部分および／またはアップリンク（ＵＬ）送信部分を含む。複数の候補送信パターンは、複数のＤＬ送信部分および／または複数のＵＬ送信部分のサブキャリアスペース群に関して互いに異なる。そして、ターゲット送信パターンを用いて、ネットワーク装置と端末装置との間の通信を実行する。【選択図】図３
2020191682.tif 000002
【特許請求の範囲】
【請求項１】
装置によって実行される方法であって、
複数の候補送信パターンのセットから、ターゲット送信パターンを決定し、
各候補送信パターンは、ダウンリンク（ＤＬ）送信部分および／またはアップリンク（ＵＬ）送信部分を有し、
前記ターゲット送信パターンにおける前記ＤＬ送信部分および／または前記ＵＬ送信部分についてのシンボル数に関する情報を決定し、
前記ターゲット送信パターンを用いて、ネットワーク装置との間の通信を実行する、
方法。
【請求項２】
前記ＤＬ送信部分は、ＤＬ制御情報、ＤＬデータ、及びＤＬ参照信号のうちの１つ又は複数を送信するために用いられる、
請求項１記載の方法。
【請求項３】
前記ＵＬ送信部分は、ＤＬ送信についてのフィードバック、ＵＬ制御情報、ＵＬデータ、及びＵＬ参照信号のうちの１つ又は複数を送信するために用いられる、
請求項１記載の方法。
【請求項４】
前記複数の候補送信パターンのうちの１つ又は複数は、ガード期間（ＧＰ）部分を含み、前記ＧＰ部分は、前記ＤＬ送信部分と前記ＵＬ送信部分との間に存在する、
請求項１記載の方法。
【請求項５】
指示を含む制御情報を受信することをさらに含み、
前記指示は、
前記ＤＬ送信部分及び／又は前記ＵＬ送信部分のサブキャリアスペース、
前記ＤＬ送信部分及び／又は前記ＵＬ送信部分についてのシンボル持続時間、
前記ＤＬ送信部分及び／又は前記ＵＬ送信部分についてのシンボル数、及び、
前記ＤＬ送信部分又は前記ＵＬ送信部分において通信があるか否か、
のうちの１つ又は複数を示す、
請求項１記載の方法。
【請求項６】
前記装置へのダウンリンク送信のためでないシンボルが存在するかを決定することをさらに含む、
請求項１記載の方法。
【請求項７】
物理アップリンク制御チャネル（ＰＵＣＣＨ）の送信を実行することをさらに含み、前記ＰＵＣＣＨの長さは、時間領域における１つ又は２つのシンボルである、
請求項１記載の方法。
【請求項８】
プロセッサを含み、
前記プロセッサは、複数の候補送信パターンのセットから、ターゲット送信パターンを決定し、
各候補送信パターンは、ダウンリンク（ＤＬ）送信部分および／またはアップリンク（ＵＬ）送信部分を有し、
前記ターゲット送信パターンにおける前記ＤＬ送信部分および／または前記ＵＬ送信部分についてのシンボル数に関する情報を決定し、
前記ターゲット送信パターンを用いて、ネットワーク装置との間で通信を実行する、
端末装置。
【請求項９】
前記ＤＬ送信部分は、ＤＬ制御情報、ＤＬデータ、及びＤＬ参照信号のうちの１つ又は複数を送信するために用いられる、
請求項８記載の端末装置。
【請求項１０】
前記ＵＬ送信部分は、ＤＬ送信についてのフィードバック、ＵＬ制御情報、ＵＬデータ、及びＵＬ参照信号のうちの１つ又は複数を送信するために用いられる、
請求項８又は９に記載の端末装置。
【請求項１１】
前記複数の候補送信パターンのうちの１つ又は複数は、ガード期間（ＧＰ）部分を含み、前記ＧＰ部分は、前記ＤＬ送信部分と前記ＵＬ送信部分との間に存在する、
請求項８記載の端末装置。
【請求項１２】
前記プロセッサは、指示を含む制御情報を受信し、
前記指示は、
前記ＤＬ送信部分及び／又は前記ＵＬ送信部分のサブキャリアスペース、
前記ＤＬ送信部分及び／又は前記ＵＬ送信部分についてのシンボル持続時間、
前記ＤＬ送信部分及び／又は前記ＵＬ送信部分についてのシンボル数、及び、
前記ＤＬ送信部分又は前記ＵＬ送信部分において通信があるか否か、
のうちの１つ又は複数を示す、
請求項８記載の端末装置。
【請求項１３】
前記プロセッサは、前記端末装置へのダウンリンク送信のためでないシンボルが存在するかを決定する、
請求項８記載の端末装置。
【請求項１４】
前記シンボルは、前記ターゲット送信パターンの前記ＤＬ送信部分内に存在する、
請求項１３記載の端末装置。
【請求項１５】
前記プロセッサは、物理アップリンク制御チャネル（ＰＵＣＣＨ）の送信を実行し、
前記ＰＵＣＣＨの長さは、時間領域における１つ又は２つのシンボルである、
請求項８記載の端末装置。
【発明の詳細な説明】
【技術分野】
【０００１】
本開示の実施形態は、概して、通信技術に関する。より具体的には、本開示の実施形態は、通信を実行するための方法および装置に関する。
【背景技術】
【０００２】
通信技術の発展と共に、可能な限り多くの使用シナリオに対処する単一の技術的枠組みの目的で、１００ＧＨｚまでの周波数範囲が研究されてきた。拡張モバイルブロードバンド（eMBB：enhanced mobile broadband）、超高信頼性および低遅延通信（URLLC：ultra-reliable and low latency communications）、大規模マシンタイプ通信（mMTC：massive machine-type-communications）など、いくつかの要件と展開シナリオが定義されている。
【０００３】
一般に、ｅＭＢＢは、高いピークデータレートについて厳密な要件を有する一方で、例えばアップリンク（ＵＬ）およびダウンリンク（ＤＬ）の送信について４ｍｓなど、ユーザプレーン遅延（user plane latency）について比較的緩い要件を有する。これに対して、ＵＲＬＬＣは、超低遅延および高信頼性を必要とし、例えば、ＵＬおよびＤＬ送信のためにユーザプレーン遅延が例えば０．５ｍｓであることを必要する。
【０００４】
ｅＭＢＢサービスを要求している端末装置（「ｅＭＢＢ端末装置」とも呼ばれる）およびＵＲＬＬＣサービスを要求している別の端末装置（「ＵＲＬＬＣ端末装置」とも呼ばれる）がサブフレームのように同じ送信パターンで多重化される場合、ｅＭＢＢのユーザプレーン遅延は、ＵＲＬＬＣのユーザプレーン遅延の複数倍であってもよい。したがって、ｅＭＢＢ端末装置は、複数のサブフレームを用いてスケジュールされてもよく、ＵＲＬＬＣ  ＵＥは、より厳しいユーザプレーン遅延要件を満たすために、１つのサブフレームを用いてスケジュールされてもよい。
【０００５】
従来、ＵＬ伝送およびＤＬ伝送は、全帯域幅において設定されていた。この場合、ｅＭＢＢ端末装置とＵＲＬＬＣ端末装置とが、時間および／または周波数の領域で多重化されていると、リソース利用率が低くなり、一部のリソースが無駄になっている可能性がある。
【０００６】
したがって、時間および／または周波数のリソース群の高い利用率を達成するための信号送信についての方式が必要とされている。
【発明の概要】
【０００７】
本開示は、時間および／または周波数のリソース群の高い利用率を達成するために通信を実行するための解決策を提案する。
【０００８】
本開示の実施形態の第１の態様によれば、本開示の実施形態は、装置によって実行される方法を提供する。上記の装置は、複数の候補送信パターンのセットから、ターゲット送信パターンを決定する。各候補送信パターンは、ＤＬ送信部分および／またはＵＬ送信部分を含み、上記の複数の候補送信パターンは、各ＤＬ送信部分および／またはＵＬ送信部分のサブキャリアスペース群に関して、互いに異なっている。そして、上記のターゲット送信パターンを用いて、ネットワーク装置と端末装置との間の通信が行われる。
【０００９】
本開示の実施形態の第２の態様によれば、本開示の実施形態は、通信を実行するための装置を提供する。上記の装置は、コントローラとトランシーバとを含み、コントローラは、複数の候補送信パターンのセットから、ターゲット送信パターンを決定するように構成され、各候補送信パターンは、ＤＬ送信部分および／またはＵＬ送信部分を含み、複数の候補送信パターンは、ＤＬ送信部分および／またはＵＬ送信部分のサブキャリアスペース群に関して、互いに異なっており、トランシーバは、ターゲット送信パターンを用いてネットワーク装置と端末装置との間で通信を実行するように構成されている。
【００１０】
本開示の実施形態の他の特徴および利点は、本開示の実施形態の原理を例として示す添付の図面と併せて読むことにより、以下の特定の実施形態の説明からも明らかになるであろう。
【図面の簡単な説明】
【００１１】
本開示の実施形態は、例の意味で提示されており、それらの利点は、添付の図面を参照して以下により詳細に説明される。
【００１２】
【図１】図１は、本開示の実施形態による通信システム１００の概略図を示す。
【００１３】
【図２】図２は、本開示の実施形態による送信パターンの概略図２００を示す。
【００１４】
【図３】図３は、本開示の実施形態による通信を実行するための方法３００のフローチャートを示す。
【００１５】
【図４】図４は、本開示の実施形態によるサブキャリアスペースおよびシンボル持続時間の概略図４００を示す。
【００１６】
【図５】図５は、本開示の実施形態による、ＴＤＤおよび異なる複数のＧＰ期間に関して、異なる端末装置ＵＥ１，ＵＥ２のための送信パターンの図５００を示す。
【００１７】
【図６】図６は、本開示の実施形態による、異なるヌメロロジーの図６００を示す。
【００１８】
【図７】図７は、本開示の実施形態による、異なるヌメロロジーの図７００を示す。
【００１９】
【図８】図８は、本開示の実施形態による、異なるヌメロロジーの図８００を示す。
【００２０】
【図９】図９は、本開示の実施形態による、異なるヌメロロジーの図９００を示す。
【００２１】
【図１０】図１０は、本開示の実施形態による、異なるヌメロロジーの図１０００を示す。
【００２２】
【図１１】図１１は、本開示の実施形態による、異なるヌメロロジーの図１１００を示す。
【００２３】
【図１２Ａ】図１２Ａは、本開示の実施形態による、ＤＭＲＳおよびＰＵＣＣＨについての異なるヌメロロジーの図１２００を示す。
【図１２Ｂ】図１２Ｂは、本開示の実施形態による、ＤＭＲＳおよびＰＵＣＣＨについての異なるヌメロロジーの図１２５０を示す。
【００２４】
【図１３Ａ】図１３Ａは、本開示の実施形態による、異なるシンボルで多重化されたＤＭＲＳについての異なるヌメロロジーの図１３００を示す。
【図１３Ｂ】図１３Ｂは、本開示の実施形態による、異なるシンボルで多重化されたＤＭＲＳについての異なるヌメロロジーの図１３５０を示す。
【００２５】
【図１４】図１４は、本開示の実施形態による、アップリンク中心送信パターン（uplink-centric transmission pattern）における制御情報およびデータについての異なるヌメロロジーの図１４００を示す。
【００２６】
【図１５】図１５は、本開示の実施形態による、ダウンリンク中心送信パターン（downlink-centric transmission pattern）における制御情報およびデータについての異なるヌメロロジーの図１５００を示す。
【００２７】
【図１６】図１６は、本開示の一実施形態による装置１６００の概略図を示す。
【００２８】
これらの図面を通して、同一または類似の参照番号は、同一または類似の要素を示す。
【発明を実施するための形態】
【００２９】
本明細書に記載される主題は、いくつかの例示的な実施形態を参照して説明される。これらの実施形態は、本主題の範囲に対する任意の制限を示唆するのではなく、当業者が本明細書に記載された主題をよりよく理解し、実施することを可能にする目的のためだけに論じられていると、理解されるべきである。
【００３０】
本明細書で使用する用語は、特定の実施形態のみを説明するためのものであり、例示的な実施形態を限定することを意図するものではない。本明細書で使用されるように、単数形「a」、「an」および「the」は、文脈上他に明白に示されていない限り、複数形も含むことが意図される。本明細書で使用される場合、「有する（comprises）」、「有している（comprising）」、「含む（includes）」、及び／又は「含んでいる（including）」という用語は、記載された特徴（features）、完全体（integers）、ステップ（steps）、操作（operations）、要素（elements）、及び／又は、構成要素（components）の存在を特定するが、１つ又は複数の他の特徴、完全体、ステップ、動作、要素、構成要素、及び／又は、それらのグループの存在又は追加を排除するものではない。
【００３１】
また、いくつかの代替の実施形態では、記載された機能／動作は、図に記載された順序から外れることがあることにも留意すべきである。例えば、連続して示されている２つの機能又は動作は、実際には同時に実行されてもよく、又は、関係する機能／動作に応じて、逆の順序で実行されてもよい。
【００３２】
本明細書で使用されるとき、用語「通信ネットワーク」は、ＬＴＥアドバンスト（ＬＴＥ−Ａ）、ＬＴＥ、広帯域符号分割多元接続（ＷＣＤＭＡ：Wideband Code Division Multiple Access）、高速パケットアクセス（ＨＳＰＡ：High-Speed Packet Access (HSPA)）などの、任意の適切な通信規格に従う、ネットワークを指す。さらに、通信ネットワークにおける端末装置とネットワーク装置との間の通信は、これらに限定されるものではないが、第１世代（１Ｇ）、第２世代（２Ｇ）、２．５Ｇ、２．７５Ｇ、第３世代（３Ｇ）、第４世代（４Ｇ）、４．５Ｇ、将来の第５世代（５Ｇ）の通信プロトコル群、および／または、現在知られているかまたは将来開発される他の任意のプロトコルを含む、任意の適切な世代の通信プロトコルに従って、実行されてもよい。
【００３３】
本開示の実施形態は、様々な通信システムに適用することができる。通信の急速な発展を考えると、当然ながら、本開示を実施することができる将来のタイプの通信技術およびシステムも存在する。本開示の範囲を上記のシステムのみに限定するものとして見なすべきではない。
【００３４】
「ネットワーク装置（network device）」という用語は、これらに限定されるものではないが、基地局（ＢＳ）、ゲートウェイ、管理エンティティ（management entity）、および、通信システム内の他の適切なデバイスを含む。「基地局」又は「ＢＳ」という用語は、ノードＢ（NodeB又はNB）、進化型ノードＢ（eNodeB又はeNB）、遠隔無線ユニット（RRU：Remote Radio Unit）、無線ヘッダ（RH：radio header）、遠隔無線ヘッド（RRH：remote radio head）、中継局（relay）、フェムトやピコなどの低電力ノード等が含まれる。
【００３５】
用語「端末装置（terminal device）」は、これらに限定されるものではないが、「ユーザ機器（ＵＥ）」、および、ネットワーク装置と通信することができる他の適切なエンドデバイスを含む。例として、「端末装置」は、端末、移動端末（MT：Mobile Terminal）、加入者局（SS：Subscriber Station）、携帯加入者局（Portable Subscriber Station）、移動局（MS：Mobile Station）、又は、アクセス端末（AT：Access Terminal）を指してもよい。
【００３６】
以下、本開示のいくつかの例示的な実施形態を図面を参照しながら以下に説明する。まず図１を参照する。図１は、本開示の実施形態による通信システム１００の概略図を示す。
【００３７】
通信システム１００において、ネットワーク装置（以下、ＢＳともいう）１１０は、同一又は異なる送信パターンを用いて、２つの端末装置（以下、ＵＥともいう）１２１，１２２と通信する。ＢＳ１１０は、ｅＭＢＢサービスをＵＥ１２１に提供し、したがって、ＵＥ１２１は、ｅＭＢＢ  ＵＥと呼ばれることがある。ＢＳ１１０は、ＵＥ１２２にＵＲＬＬＣサービスを提供し、したがって、ＵＥ１２２は、ＵＲＬＬＣ  ＵＥと呼ばれることがある。
【００３８】
「送信パターン」という用語は、時間領域および／または周波数領域におけるリソースに関する設定を指す。例えば、送信パターンは、時間領域における１つ以上のサブフレームまたは一定数のシンボルに対応してもよく、周波数領域における１つ以上のサブキャリアに対応していてもよい。送信パターンは、ＤＬ送信部分および／またはＵＬ送信部分を含む。１つの送信パターンは、各ＤＬ送信部分および／またはＵＬ送信部分のサブキャリアスペースに関して、他の送信パターンと異なっている。本開示の実施形態では、送信パターンは、候補送信パターン群のセットとターゲット送信パターンとを含んでいてもよく、ターゲット送信パターンは、候補送信パターン群のセットから、選択または決定される。候補送信パターン群のセットは、主にダウンリンクデータ送信に使用される１つまたは複数のダウンリンク中心送信パターン、および／または、主にアップリンクデータ送信に使用される１つまたは複数のアップリンク中心送信パターンを含んでいてもよい。
【００３９】
図２は、ダウンリンク中心送信パターンおよびアップリンク中心送信パターンの図を示す。図２に示すように、ダウンリンク中心送信パターン２１０は、ダウンリンク制御情報を送信するダウンリンク送信部分２１１と、ダウンリンクデータを送信するダウンリンク送信部分２１２と、ＧＰ（Guard Period）部分２１３と、アップリンク制御情報（例えば、物理アップリンク制御チャネル（ＰＵＣＣＨ））を送信するためのアップリンク送信部分２１４とを含む。送信パターン２１０では、ダウンリンクデータを送信するためのダウンリンク送信部分２１２が他の部分よりも長いため、ダウンリンク中心送信パターンと呼ばれる。
【００４０】
ダウンリンク中心送信パターン２１０と同様に、ダウンリンク中心送信パターン２２０は、ダウンリンクデータを送信するためのダウンリンク送信部分２２１と、ガード期間（ＧＰ）部分２２２と、アップリンク送信部分２２３とを含む。ダウンリンク中心送信パターン２１０とダウンリンク中心送信パターン２２０との間の主な違いは、送信パターン２２０がダウンリンク制御情報を送信する部分を含まないことにある。
【００４１】
アップリンク中心送信パターン２３０は、ダウンリンク制御情報を送信するダウンリンク送信部分２３１と、ＧＰ部分２３２と、アップリンクデータを送信するアップリンク送信部分２３３と、アップリンク制御情報を送信するアップリンク送信部分２３４（例えば、ＰＵＣＣＨ）とを含む。送信パターン２３０では、アップリンクデータを送信するアップリンク送信部分２３３が他の部分よりも長いため、送信パターン２３０は、アップリンク中心送信パターンと呼ばれている。
【００４２】
アップリンク中心送信パターン２３０と同様に、アップリンク中心送信パターン２４０は、ダウンリンク制御情報を送信するダウンリンク送信部分２４１と、ＧＰ部分２４２と、アップリンクデータを送信するアップリンク送信部分２４３とを含む。アップリンク中心送信パターン２３０とアップリンク中心送信パターン２４０との間の主な違いは、送信パターン２４０がアップリンク制御情報を送信するための部分を含まないことである。
【００４３】
図２は、また、ＤＬ送信に完全に使用される全ダウンリンク送信パターン２５０と、ＵＬ送信に完全に使用される全アップリンク送信パターン２６０とを示す。
【００４４】
反対に記載しない限り、用語「送信」または「通信」は、制御情報および／またはデータの送信または通信を含み、本明細書で使用される用語「信号」は、制御情報および／またはデータを含む、ことを理解されたい。
【００４５】
従来、ｅＭＢＢは、例えばＵＬ／ＤＬ送信に対して４ｍｓという、ユーザプレーン遅延に関して比較的緩い要件を有している。対照的に、ＵＲＬＬＣは、比較的厳密なユーザプレーン遅延、例えばＵＬ／ＤＬ送信に対して０．５ｍｓを必要とする。図１の例では、ｅＭＢＢ  ＵＥ１２１は、複数のサブフレームを用いてスケジュールされ、ＵＲＬＬＣ  ＵＥ１２２は、厳しいユーザプレーン遅延要件を満たすために、１サブフレームを用いてスケジュールされる。ｅＭＢＢ  ＵＥ１２１およびＵＲＬＬＣ  ＵＥ１２２が周波数領域で多重化されている場合、いくつかのリソースが浪費される可能性があり、これは望ましくない。
【００４６】
この問題を解決するために、本開示の実施形態は、時間および／または周波数のリソース群の無駄を減らすために、以下に論じるような解決策を提案する。ここで、本開示のいくつかの例示的な実施形態が、以下の図を参照して以下に説明される。図３は、本開示の実施形態による信号送信のための方法３００のフローチャートを示している。方法３００は、ＢＳ１１０、端末装置１２１、端末装置１２２、または他の適切な装置によって実施されてもよい。
【００４７】
方法３００は、ブロック３１０に入り、ここで、ターゲット送信パターンが、候補送信パターン群のセットから決定される。各候補送信パターンは、ＤＬ送信部分および／またはＵＬ送信部分を含み、複数の候補送信パターンは、各ＤＬ送信部分および／またはＵＬ送信部分のサブキャリアスペース群に関して、互いに異なっている。
【００４８】
上述したように、送信パターンは、時間領域における１つのサブフレームまたは一定数のシンボルに対応してもよく、周波数領域における１つまたは複数のサブキャリアに対応してもよい。本開示の実施形態では、サブキャリアスペースは、２つのサブキャリア間のスペースを指し、シンボルの持続時間（「シンボル持続時間（symbol duration）」とも呼ばれる）に反比例する。図４は、本開示の実施形態によるサブキャリアスペースおよびシンボル持続時間の概略図４００を示す。シンボル持続時間は、サブキャリアスペースの逆数に従って計算されてもよい。例えば、サブキャリアスペースが１５ｋＨｚの場合、対応するシンボル持続時間は、６６．６７ｕｓであってもよい。図４の例では、サブキャリアスペースがＳＣ０＝１５ｋＨｚである場合、対応するシンボル持続時間は、ｔ０＝６６．６７ｕｓであってもよい。サブキャリアスペースが、２＊ＳＣ０＝３０ｋＨｚである場合、対応するシンボル持続時間は、ｔ０／２＝３３．３３ｕｓであってもよい。
【００４９】
図３を参照すると、本開示の実施形態によれば、方法３００は、ネットワーク装置、例えば図１のＢＳ１１０によって、実行されてもよい。そのような実施形態では、ＢＳ１１０は、ターゲット送信パターンが各端末装置について同じであることを要求することなく、ネットワーク装置によってサービス提供される端末装置（例えば、ＵＥ１２１，１２２）のそれぞれについて、候補送信パターン群のセットから、ターゲット送信パターンを決定してもよい。
【００５０】
いくつかの実施形態では、方法３００は、端末装置、例えばＵＥ１２１またはＵＥ１２２によって、実行されてもよい。そのような実施形態では、ＵＥ１２１またはＵＥ１２２は、ＵＥ１２１またはＵＥ１２２とＢＳ１１０との間の信号送信に適したターゲット送信パターンを、決定してもよい。
【００５１】
いくつかの実施形態では、ターゲット送信パターンのＤＬ送信部分および／またはＵＬ送信部分のサブキャリアスペースは、短縮されたシンボル持続時間においてＤＬ送信部分および／またはＵＬ送信部分が送信されるように、第１の所定のサブキャリアスペースより大きくてもよい。第１の所定のサブキャリアスペースは、フィードバック要件、スケジューリング要件、サービスタイプなどに応じて、事前決定または事前定義されてもよい。ターゲット送信パターンのＤＬ送信部分および／またはＵＬ送信部分のサブキャリアスペースが第１の所定のサブキャリアスペースよりも大きい場合、サブキャリアスペースは、短縮されたシンボル持続時間を得るのに十分大きいと判断され得る。
【００５２】
いくつかの実施形態では、ターゲット送信パターンのＤＬ送信部分および／またはＵＬ送信部分のサブキャリアスペースは、長くされたシンボル持続時間においてＤＬ送信部分および／またはＵＬ送信部分が送信されるように、第２の所定のサブキャリアスペースより小さくてもよい。第２の所定のサブキャリアスペースは、フィードバック要件、スケジューリング要件、サービスタイプなどに応じて、事前決定または事前定義されてもよい。ターゲット送信パターンのＤＬ送信部分および／またはＵＬ送信部分のサブキャリアスペースが第２の所定のサブキャリアスペースより小さい場合、サブキャリアスペースは、長くされたシンボル持続時間を得るのに十分に小さいと判断され得る。
【００５３】
いくつかの実施形態では、上記のＤＬ送信部分は、ＤＬ制御情報（例えば、ダウンリンク制御情報（ＤＣＩ））、ＤＬデータ、およびＤＬ参照信号（例えば、復調参照信号（ＤＭＲＳ：demodulation reference signal）、チャネル状態情報参照信号（ＣＳＩ−ＲＳ：channel state information reference signal）など）のうちの１つまたは複数を送信するために、使用されてもよい。
【００５４】
いくつかの実施形態では、ＵＬ送信部分は、ＤＬ送信についてのフィードバック（たとえば、肯定応答（ＡＣＫ）／否定応答（ＮＡＣＫ））、ＵＬ制御情報（たとえば、アップリンク制御情報（ＵＣＩ：Uplink Control Information））、ＵＬデータ、および、ＵＬ参照信号（たとえば、ＵＬ  ＤＭＲＳ、サウンディング参照信号（ＳＲＳ：sounding reference signal）など）のうちの１つまたは複数を送信するために使用される。
【００５５】
いくつかの実施形態では、候補送信パターンのうちの１つまたは複数は、ＧＰ部分をさらに含んでいてもよい。ＧＰ部分は、ＤＬ送信部分とＵＬ送信部分との間にあってもよい。
【００５６】
いくつかの実施形態では、ターゲット送信パターンは、それ自体を示すための指示（indication）を含んでいてもよい。一実施形態では、上記の指示は、ＤＬ送信部分および／またはＵＬ送信部分で送信される制御情報、たとえばＤＣＩ、ＵＣＩなどに含まれてもよい。いくつかの実施形態では、上記の指示は、ＤＬ送信部分および／またはＵＬ送信部分のサブキャリアスペース、ＤＬ送信部分および／またはＵＬ送信部分についてのシンボルの持続時間、ＤＬ送信部分および／またはＵＬ送信部分についてのシンボル数、および、ＤＬ送信部分またはＵＬ送信部分で通信があるかどうか、のうちの１つまたは複数を示していてもよい。
【００５７】
別の実施形態では、ターゲット送信パターンの上記の指示は、事前定義された、時間−周波数リソース群に、含まれてもよい。そして、上記のリソース群は、すべてのＵＥに共通であってもよく、ターゲット送信パターンにおいて定義されたリソース群に限定されなくてもよい。
【００５８】
図３を参照すると、ブロック３２０において、ターゲット送信パターンを使用して、ネットワーク装置と端末装置との間で通信が行われる。いくつかの実施形態では、ネットワーク装置（例えばＢＳ１１０）が、ブロック３１０において、端末装置（例えばＵＥ１２２）のためのターゲット送信パターンを決定するとき、ネットワーク装置は、ターゲット送信パターンを使用することによって、ＵＥ１２２との通信を実行することができる。例えば、ＢＳ１１０は、ターゲット送信パターンに従って、データをＵＥ１２２に送信してもよいし、または、ＵＥ１２２からデータを受信してもよい。
【００５９】
あるいは、端末装置（例えば、ＵＥ１２２）が、ブロック３１０において、ターゲット送信パターンを決定するとき、端末装置は、ターゲット送信パターンを使用することによって、ＢＳ１１０との通信を実行することができる。例えば、ＵＥ１２２は、ターゲット送信パターンに従って、ＢＳ１１０にデータを送信してもよいし、または、ＢＳ１１０からデータを受信してもよい。
【００６０】
図５は、本開示の実施形態による、ＴＤＤおよび異なるＧＰ期間に関する、異なる端末装置、ＵＥ１およびＵＥ２のための送信パターンの図５００を示す。図５の例では、ｅＭＢＢ端末装置をＵＥ１と称し、ＵＲＬＬＣ端末装置をＵＥ２と称する。ＵＥ２に関しては、２つの送信パターンが示されており、それらは同じである。ＤＬ送信部分５２１は、ＤＬデータを送信するためのものであり、少ないシンボルを含む短いダウンリンク領域として記載されている。一実施形態において、ＤＬ送信部分５２１のシンボル数は、制御情報を送信するための他のＤＬ送信部分５２４に含まれるＤＣＩによって、示されてもよい。
【００６１】
本開示の実施形態によれば、ＵＬデータ、ＤＬデータ、ＤＬ制御情報（例えば、送信フォーマット、ＵＬグラント、または、物理ダウンリンク制御チャネル（ＰＤＣＣＨ）上のリソース割り当てに関する情報）、ＵＬ制御情報（例えば、物理アップリンク制御チャネル（ＰＵＣＣＨ）上のＡＣＫ／ＮＡＣＫまたはＲＳ）、および／または同様のものの送信のために、異なるヌメロロジーが採用されてもよい。ヌメロロジーは、例えば、周波数領域のサブキャリアスペース、シンボルの持続時間、サイクリックプレフィックス（ＣＰ）の持続時間などを指してもよい。
【００６２】
ダウンリンク送信については、例えば、それぞれＫＤ＿０、ＫＤ＿１、・・・、ＫＤ＿ｎ（ｋＨｚ）として示される、サブキャリアスペースの複数のダウンリンク設定（downlink configurations）があり得る。アップリンク送信については、えば、ＫＵ＿０、ＫＵ＿１、…、ＫＵ＿ｎ（ｋＨｚ）として示される、サブキャリアスペースの複数のアップリンク設定があり得る。異なる、サブキャリアスペースのダウンリンク設定群／サブキャリアスペースのアップリンク設定群は、異なるサービス群、例えば、ｅＭＢＢサービスおよびＵＲＬＬＣサービス、または、異なるチャネル（例えば、ＰＤＣＣＨ、物理ダウンリンク共有チャネル（ＰＤＳＣＨ）、物理アップリンク共有チャネル（ＰＵＳＣＨ）およびＰＵＣＣＨ）に対して、使用されてもよい。
【００６３】
１つの実施形態では、ダウンリンクデータ送信のためのサブキャリアスペースは、Ｋ０  ｋＨｚであってもよく、フィードバック情報（ＡＣＫ／ＮＡＣＫ）のためのサブキャリアスペースは、Ｋ１（例えば、Ｍ＊Ｋ０）ｋＨｚであってもよい、と仮定される。したがって、フィードバック情報のためのシンボル持続時間は、ダウンリンクシンボルとは異なってもよく、例えば、ダウンリンクシンボルの１／Ｍであってもよい。
【００６４】
別の実施形態では、制御情報のためのサブキャリアスペースは、Ｋ１（例えば、Ｍ＊Ｋ０）ｋＨｚであってもよく、ダウンリンクまたはアップリンクのデータ送信のためのサブキャリアスペースは、Ｋ０  ｋＨｚ  ＳＣＳである、と仮定される。したがって、制御情報のシンボル持続時間は、例えば、ダウンリンクまたはアップリンクのデータ送信のシンボル持続時間の１／Ｍとは異なっていてもよい。
【００６５】
本開示の実施形態では、サブキャリアスペースの異なる複数の設定は、異なるヌメロロジーと呼ばれることがある。ここで、異なるヌメロロジーに関するいくつかの実施形態が、図６−図１５を参照して説明される。
【００６６】
図６は、本開示の実施形態による、異なるヌメロロジーの図６００を示す。
図６の例では、フィードバック情報（ＡＣＫ／ＮＡＣＫ）および下りデータについて、異なるヌメロロジーが用いられる。例えば、１５ｋＨｚのサブキャリアスペース（「ＳＣＳ」とも呼ばれる）は、ダウンリンクデータに使用され、３０ｋＨｚは、ＡＣＫ／ＮＡＣＫに使用される。したがって、ダウンリンクデータのシンボル持続時間は、ＡＣＫ／ＮＡＣＫのシンボル持続時間の２倍であり得る。一実施形態では、ＡＣＫ／ＮＡＣＫを送信するために使用される２つのシンボルは、２つのシンボルのうちの一方でＡＣＫ／ＮＡＣＫを送信し、２つのシンボルのうちの他方で参照信号（たとえばＤＭＲＳ）を送信するために、使用されてもよい。例えば、２つのシンボルのうちの最初のシンボルは、ＤＭＲＳに使用され、２番目のシンボルは、ＡＣＫ／ＮＡＣＫ送信に使用される。
【００６７】
この場合、２つの３０ｋＨｚシンボルが、ＵＲＬＬＣ  ＵＥ１２２のＤＭＲＳおよびＡＣＫ／ＮＡＣＫのために使用される、ことが決定されてもよい。ｅＭＢＢ  ＵＥ１２１については、空の１５ｋＨｚシンボルがある。そして別の場合、ｅＭＢＢ  ＵＥ１２１では、アップリンク送信、例えばＳＲＳ送信、またはＵＥ１２１についてのＡＣＫ／ＮＡＣＫ送信のための、１５ｋＨｚのシンボルがある。
【００６８】
図７は、本開示の実施形態による、異なるヌメロロジーの図７００を示す。図７の例では、アップリンク送信間隔（uplink transmission interval）は、異なるヌメロロジーについて異なっていてもよい。１つの実施形態では、ＡＣＫ／ＮＡＣＫ送信は、少なくとも２つのシンボル、つまり、１つはＤＭＲＳ用のシンボルで１つはＡＣＫ／ＮＡＣＫ用のシンボルを必要としてもよい。別の実施形態では、ＳＲＳが相反性（reciprocity）のために使用される場合、そのヌメロロジーは、ダウンリンクデータ送信と同じに保たれてもよい。またさらなる実施形態では、ＡＣＫ／ＮＡＣＫがＳＲＳと衝突する場合、より多くのアップリンクシンボルが、ＡＣＫ／ＮＡＣＫによって使用されてもよい。
【００６９】
図７の実施形態では、ＧＰの持続時間は、同じでも異なってもよい。一実施形態では、例えば、Ｋ０およびＫ１＝Ｍ＊Ｋ０の２つのＳＣＳが存在する場合、Ｍ＊Ｋ０のシンボル持続時間は、Ｋ０についてのシンボル持続時間（ｔ０）の１／Ｍであってもよく、Ｍ＊Ｋ０についてのサイクリックプレフィクス（ＣＰ）の持続期間（ｔＣＰ２）はまた、Ｋ０についてのシンボル持続時間（ｔＣＰ）の１／Ｍであってもよい。ＧＰの持続時間は、異なるヌメロロジーについて同じであってもよい。別の実施形態では、ＧＰの持続時間は、異なっていてもよい。例えば、Ｋ０およびＫ１＝Ｍ＊Ｋ０の２つのＳＣＳがある場合、Ｍ＊Ｋ０についてのシンボル持続時間は、Ｋ０についてのシンボル持続時間（ｔ０）の１／Ｍであってもよく、Ｍ＊Ｋ０についてのＣＰ持続時間（ｔＣＰ２）は、Ｋ０についてのシンボル持続時間（ｔＣＰ）の１／Ｍでなくてもよい（たとえば、マルチパス効果に抵抗するために、ｔＣＰ２はｔＣＰと同じかそれより少し短い）。したがって、ＧＰについての残りの持続時間は、異なるヌメロロジーについて異なっていてもよい。
【００７０】
図８は、本開示の実施形態による、異なるヌメロロジーの図８００を示す。図８の例では、アップリンク送信間隔（uplink transmission interval）は、異なるヌメロロジーについて同じでも異なってもよい。１つの実施形態では、ＡＣＫ／ＮＡＣＫ送信は、少なくとも２つのシンボル、つまり、１つはＤＭＲＳのためのシンボルで１つはＡＣＫ／ＮＡＣＫのためのシンボルを必要としてもよい。例えば、アップリンクデータ送信、および／または、ＳＲＳ、および／または、ダウンリンクデータ送信のための、サブキャリアスペースは、Ｋ０であり、ＡＣＫ／ＮＡＣＫのためのサブキャリアスペースは、Ｋ１＝Ｍ＊Ｋ０であり、Ｍ＊Ｋ０についてのシンボル持続時間は、Ｋ０についてのシンボル持続時間（ｔ０）の１／Ｍであってもよく、Ｍ＊Ｋ０についてのサイクリックプレフィックス（ＣＰ）持続時間（ｔＣＰ２）もまた、Ｋ０についてのシンボル持続時間（ｔＣＰ）の１／Ｍであってもよい。
【００７１】
別の実施形態では、例えば、Ｍ＊Ｋ０のシンボル持続時間は、Ｋ０についてのシンボル持続時間（ｔ０）の１／Ｍであり、Ｍ＊Ｋ０についてのＣＰ持続時間（ｔＣＰ２）は、Ｋ０についてのシンボル持続時間（ｔＣＰ）の１／Ｍでなくてもよく（例えば、ｔＣＰ２は、マルチパス効果に抵抗するために、ｔＣＰと同じかそれより少し短い）、異なるヌメロロジーのアップリンク送信部分は、異なっていてもよい。
【００７２】
別の実施形態では、異なるヌメロロジーのために、十分なシンボル数が必要とされる。例えば、ＡＣＫ／ＮＡＣＫ送信は、少なくとも２つのシンボルを必要としてもよく、一方はＤＭＲＳ用であり、他方はＡＣＫ／ＮＡＣＫ用であり、したがって、異なるヌメロロジーについてのＡＣＫ／ＮＡＣＫ送信間隔は、異なっていてもよい。
【００７３】
別の実施形態では、ＳＲＳが相反性のために使用される場合、そのヌメロロジーは、ダウンリンクデータ送信と同じに保たれてもよい。またさらなる実施形態では、ＡＣＫ／ＮＡＣＫがＳＲＳと衝突する場合、より多くのアップリンクシンボルが、ＡＣＫ／ＮＡＣＫによって使用されてもよい。
【００７４】
図９は、本開示の実施形態による、異なるヌメロロジーの図９００を示す。図９の例では、あるＵＥについては、アップリンク送信は、ダウンリンク送信と同じサブキャリアスペースを有し、他のあるＵＥについては、アップリンク送信は、ダウンリンク送信と異なるサブキャリアスペースを有する。異なるアップリンクシグナリングまたは異なるサービスは、異なるサブキャリアスペース、例えば、ダウンリンクの同じＳＣＳを持つＳＲＳおよびダウンリンクの異なるＳＣＳを持つＡＣＫ／ＮＡＣＫを有していてもよい。ダウンリンク送信部分（ダウンリンク領域とも呼ばれる）については、複数のサブキャリアスペースは、ＫＤ  ｋＨｚであってもよく、ＧＰの持続時間は、いくつかのＴｓ（Ｔｓは、基本時間単位である）であってもよい。
【００７５】
図１０は、本開示の実施形態による、異なるヌメロロジーの図１０００を示す。図１０の例では、あるＵＥについては、アップリンク送信は、ダウンリンク送信と同じサブキャリアスペースを有し、他のあるＵＥについては、アップリンク送信は、ダウンリンク送信と異なるサブキャリアスペースを有する。異なるアップリンクシグナリングまたは異なるサービスは、異なるサブキャリアスペース、例えば、ダウンリンクの同じＳＣＳを持つＳＲＳおよびダウンリンクの異なるＳＣＳを持つＡＣＫ／ＮＡＣＫを有していてもよい。ＧＰは、異なるアップリンクＳＣＳについて異なっていてもよく、例えば、シンボル持続時間は、ＳＣＳごとに異なり、送信持続時間は、ＳＣＳごとに異なり、ＧＰについての残りの持続時間は、異なる。ダウンリンク領域については、サブキャリアスペースは、ＫＤ＿０  ｋＨｚ、ＫＤ＿１  ｋＨｚなどであってもよく、ＧＰの持続時間は、いくつかのＴｓであってもよい。異なるヌメロロジーについてのＧＰおよびシンボル数は、異なっていてもよい。図１１は、本開示の実施形態による、異なるヌメロロジーの図１１００を示す。図１１の例では、あるＵＥについては、アップリンク送信は、ダウンリンク送信と同じサブキャリアスペースを持ち、他のあるＵＥについては、アップリンク送信は、ダウンリンク送信とは異なるサブキャリアスペースを持つ。異なるアップリンクシグナリングまたは異なるサービスは、異なるサブキャリアスペース、例えば、ダウンリンクの同じＳＣＳを持つＳＲＳおよびダウンリンクの異なるＳＣＳを持つＡＣＫ／ＮＡＣＫを有していてもよい。ＧＰは、アップリンクＳＣＳごとに異なっていてもよく、例えば、シンボル持続時間は、ＳＣＳごとに異なり、送信持続時間は、ＳＣＳごとに異なり、ＧＰの残り持続時間は、異なる。ダウンリンク部分（ダウンリンク領域とも呼ばれる）については、サブキャリアスペースは、ＫＤ＿０  ｋＨｚ、ＫＤ＿１  ｋＨｚなどであってもよく、ＧＰの持続時間は、いくつかのＴｓであってもよい。異なるヌメロロジーについてのＧＰおよびシンボル数は、異なっていてもよい。
【００７６】
図１２Ａおよび１２Ｂは、本開示の実施形態による、ＤＭＲＳおよびＰＵＣＣＨについての異なるヌメロロジーの図１２００および１２５０を示す。図１２Ａおよび図１２Ｂの例では、ダウンリンク領域については、サブキャリアスペースは、ＫＤ  ｋＨｚであってもよく、アップリンクのＤＭＲＳおよびＰＵＣＣＨについてのヌメロロジーは、異なっていてもよい。図１２Ａにおいて、アップリンクＤＭＲＳおよびＰＵＣＣＨについてのヌメロロジーは異なっており、ＤＭＲＳおよびＰＵＣＣＨのシンボル数は、異なっていてもよい。図１２Ｂにおいて、アップリンクのＤＭＲＳおよびＰＵＣＣＨについてのヌメロロジーは、異なっている。
【００７７】
図１３Ａおよび１３Ｂは、本開示の実施形態による、異なる複数のシンボルにおいて多重化されたＤＭＲＳについての異なるヌメロロジーの図１３００および１３５０を示す。図１３Ａ及び図１３Ｂの例では、ダウンリンク領域については、サブキャリアスペースは、ＫＤ＿０  ｋＨｚ、ＫＤ＿１  ｋＨｚなどであってもよく、ＧＰの持続時間は、数Ｔｓであってもよい。ＤＭＲＳは、多重化のために、異なる複数の位置を有していてもよい。
【００７８】
図１４は、本開示の実施形態による、アップリンク中心送信パターンにおける、制御情報およびデータについての異なるヌメロロジーの図１４００を示す。図１４の例では、制御領域、データ領域、およびＧＰ持続時間のうちの１つまたは複数は、異なるＳＣＳを用いて設定されてもよい。示されるように、アップリンクデータ領域１４１１は、Ｋｕ１  ｋＨｚのサブキャリアスペースを有し、一方、アップリンクデータ領域１４１２は、Ｋｕ２  ｋＨｚのサブキャリアスペースを有する。制御領域１４１３は、ＫＤ１  ｋＨｚのサブキャリアスペースを有し、一方、制御領域１４１４は、ＫＤ２  ｋＨｚのサブキャリアスペースを有する。
【００７９】
図１５は、本開示の実施形態による、ダウンリンク中心送信パターンにおける、制御情報およびデータについての異なるヌメロロジーの図１５００を図示する。図１５の例では、制御領域、データ領域、およびＧＰ持続時間のうちの１つまたは複数は、迅速な送信のために、異なるＳＣＳを用いて設定されてもよい。図示のように、制御領域１５１１は、ＫＣ１  ｋＨｚのサブキャリアスペースを有し、一方、制御領域１５１５は、ＫＣ５のサブキャリアスペースを有する。ダウンリンクデータ領域１５１３は、ＫＤ１  ｋＨｚのサブキャリアスペースを有し、一方、ダウンリンクデータ領域１５１４は、ＫＤ２  ｋＨｚのサブキャリアスペースを有する。
【００８０】
上記の実施形態は、本開示の範囲に対する何らかの制限を示唆するのではなく、当業者が本開示をよりよく理解し、したがって本開示を実施することを可能にする、目的でのみ説明されることを理解されたい。
【００８１】
図１６は、本開示の一実施形態による装置１６００の概略図を示す。本開示の実施形態によれば、デバイス１６００は、ＢＳ１１０などのネットワーク装置、ＵＥ１２１または１２２などの端末装置、または通信システム内の他の適切なデバイスで実装され得る。
【００８２】
図１６に示すように、装置１６００は、コントローラ１６１０とトランシーバ１６２０とを含み、コントローラ１６１０は、複数の候補送信パターンのセットから、ターゲット送信パターンを決定するように構成され、各候補送信パターンは、ＤＬ送信部分および／またはＵＬ送信部分を含み、複数の候補送信パターンは、ＤＬ送信部分および／またはＵＬ送信部分のスペースキャリア群に関して、互いに異なっており、トランシーバ１６２０は、ターゲット送信パターンを用いてネットワーク装置と端末装置との間で通信を実行するように構成されている。
【００８３】
１つの実施形態において、ターゲット送信パターンのＤＬ送信部分および／またはＵＬ送信部分のサブキャリアスペースは、第１の所定のサブキャリアスペースより大きくてもよく、その結果、ＤＬ送信部分および／またはＵＬ送信部分は、短縮されたシンボル持続期間において送信される。
【００８４】
１つの実施形態では、ターゲット送信パターンのＤＬ送信部分および／またはＵＬ送信部分のサブキャリアスペースは、長くされたシンボル持続期間においてＤＬ送信部分および／またはＵＬ送信部分が送信されるように、第２の所定のサブキャリアスペースより小さくてもよい。
【００８５】
一実施形態では、ＤＬ送信部分は、ＤＬ制御情報、ＤＬデータ、およびＤＬ参照信号のうちの１つまたは複数を送信するために、使用されてもよい。
【００８６】
１つの実施形態では、ＵＬ送信部分は、ＤＬ送信についてのフィードバック、ＵＬ制御情報、ＵＬデータ、およびＵＬ参照信号のうちの１つまたは複数を送信するために使用されてもよい。
【００８７】
一実施形態では、候補送信パターンのうちの１つまたは複数は、ＤＬ送信部分とＵＬ送信部分との間にＧＰ部分をさらに含んでいてもよい。
【００８８】
一実施形態では、コントローラ１６１０は、ターゲット送信パターンが各端末装置について同じであることを要求することなしに、上記のネットワーク装置において、ネットワーク装置によってサービス提供される端末装置群のそれぞれについて、候補送信パターン群のセットから、ターゲット送信パターンを決定するようにさらに構成される。
【００８９】
１つの施形態では、ターゲット送信パターンは、ＤＬ送信部分および／またはＵＬ送信部分で送信される制御情報において指示を含んでいてもよく、上記の指示は、ＤＬ送信部分および／またはＵＬ送信部分のサブキャリアスペース、ＤＬ送信部分および／またはＵＬ送信部分についてのシンボル持続時間、ＤＬ送信部分および／またはＵＬ送信部分についてのシンボル数、ＤＬ送信部分またはＵＬ送信部分で通信があるかどうか、の１つまたは複数を示す。
【００９０】
本開示の実施形態は、また、ネットワーク装置または端末装置において実施される装置を提供した。上記の装置は、決定手段と通信手段とを含み、決定手段は、複数の候補送信パターンのセットから、ターゲット送信パターンを決定し、各候補送信パターンは、ＤＬ送信部分および／またはＵＬ送信部分を含み、複数の候補送信パターンは、ＤＬ送信部分および／またはＵＬ送信部分のサブキャリアキャリア群に関して、互いに異なっており、通信手段は、ターゲット送信パターンを用いてネットワーク装置と端末装置との間で通信を実行する。
【００９１】
デバイス１６００は、現在知られているかまたは将来開発されるいずれかの任意の適切な技法によってそれぞれ実装され得ることにも留意されたい。また、図１に示された単体の装置は、別々の複数の装置において実装されてもよいし、複数の別々の装置は、単一の装置に実装されてもよい。本開示の範囲は、これらの点において限定されない。
【００９２】
デバイス１６００は、図３−１５を参照して説明されたような機能を実装するように構成されてもよいことに留意されたい。したがって、上記の方法３００に関して説明した特徴は、装置１６００の対応する構成要素に適用してもよい。さらに、装置４２００の構成要素は、ハードウェア、ソフトウェア、ファームウェア、および／またはそれらの任意の組合せで、具体化されうることに留意されたい。例えば、装置１６００の構成要素は回路、プロセッサ、又は、任意の他の適切なデバイスによって、それぞれ実装されてもよい。当業者であれば、上記の例は説明のためのものに過ぎず限定するものではないことを理解するであろう。
【００９３】
本開示のいくつかの実施形態では、装置１６００は、少なくとも１つのプロセッサを含み得る。本開示の実施形態と共に使用するのに適した少なくとも１つのプロセッサは、例えば、既に知られている又は将来開発される、汎用プロセッサ及び特殊目的プロセッサの両方を含んでいてもよい。装置１６００は、少なくとも１つのメモリをさらに含み得る。該少なくとも１つのメモリは、例えば、ＲＡＭ、ＲＯＭ、ＥＰＲＯＭ、ＥＥＰＲＯＭ、フラッシュメモリデバイス等の半導体メモリデバイスを含んでいてもよい。該少なくとも１つのメモリは、コンピュータ実行可能命令のプログラムを格納するために用いられてもよい。このプログラムは、任意の高水準及び／又は低水準の適合可能又は解釈可能なプログラミング言語で記述されることができる。実施形態によれば、上記のコンピュータ実行可能命令は、少なくとも１つのプロセッサを用いて、デバイス１６００が少なくとも上述の方法３００に従って実行するように、構成されてもよい。
【００９４】
上記の説明に基づいて、当業者は、本開示が、装置、方法、又はコンピュータプログラム製品において具体化され得ることを理解するであろう。一般に、様々の例示的な実施形態は、ハードウェア又は特殊目的の回路、ソフトウェア、ロジック、又は、それらの任意の組み合わせで、実装されてもよい。例えば、いくつかの態様は、ハードウェアで実装されてもよく、他の態様は、コントローラ、マイクロプロセッサ、又は他のコンピューティングデバイスによって実行される、ファームウェア又はソフトウェアで、実装されてもよい。本開示の例示的な実施形態の様々な態様は、ブロック図、フローチャート、又は他の絵画的表現を用いて図示及び説明することができるが、本明細書に記載されたこれらのブロック、装置、システム、技術、又は方法は、これに限定されるものではないが、ハードウェア、ソフトウェア、ファームウェア、専用回路又はロジック、汎用ハードウェア又はコントローラ又は他のコンピューティングデバイス、又はそれらのいくつかの組み合わせで、実装されてもよい。
【００９５】
図３に示されている様々なブロックは、方法のステップとして、及び／又は、コンピュータプログラムコードの動作から生じる動作として、及び／又は、関連する機能を実行するように構成された複数の結合された論理回路素子として、見ることができる。開示の例示的な実施形態の少なくともいくつかの態様は、集積回路チップ及びモジュール等の様々の構成要素で実施されてもよく、本開示の例示的な実施形態は、本開示の例示的な実施形態に従って動作するように構成された、集積回路、ＦＰＧＡ、又はＡＳＩＣとして具現化された装置において実現されてもよい。
【００９６】
本明細書は、多くの具体的な実装の詳細を含むが、これらは、開示又は請求される事項の範囲についての限定として解釈されるべきではなく、特定の開示の特定の実施形態に特有の特徴の説明として解釈されるべきである。別個の実施形態の文脈において本明細書で説明される特定の特徴は、単一の実施形態において組み合わせて実装されてもよい。逆に、単一の実施形態の文脈で記載されている様々な特徴は、複数の実施形態で別々に又は任意の適切なサブコンビネーションで実装されてもよい。更に、特徴は、特定の組み合わせで作用するものとして上述されてもよく、当初はそのように請求されていたとしても、請求された組み合わせからの１つ又は複数の特徴は、場合によっては、組み合わせから切り取られてもよく、サブコンビネーション又はサブコンビネーションのバリエーションとされてもよい。
【００９７】
同様に、動作が特定の順序で図面に示されているが、これは、そのような動作が示された特定の順序で又は順番に実行されること、又は、所望の結果を達成するために図示された全ての動作を実行することを必要とするものとして理解されるべきではない。特定の状況では、マルチタスク処理及び並列処理が有利な場合がある。更に、上述の実施形態における様々のシステム構成要素の分離は、すべての実施形態においてそのような分離を必要とするものとして理解されるべきではなく、記載されたプログラム構成要素及びシステムは、一般に、単一のソフトウェア製品に一緒に統合されてもよいし、又は、複数のソフトウェア製品にパッケージ化されてもよい。
【００９８】
添付の図面と併せて読めば、前述の説明を考慮して、当業者には、本開示の前述の例示的な実施形態に対する様々な変更、適合が明らかになるであろう。任意のすべての変更は、依然として、本開示の非限定的且つ例示的な実施形態の範囲内に含まれる。更に、本明細書に記載された開示の他の実施形態は、前述の説明及び関連する図面に示された教示の利益を有する本開示のこれらの実施形態に関係する当業者には、思い浮かぶであろう。
【００９９】
従って、本開示の実施形態は、開示される特定の実施形態に限定されるものではなく、修正及び他の実施形態は、添付の特許請求の範囲内に含まれることが意図されることを理解されたい。本明細書では特定の用語を使用しているが、それらは、一般的且つ説明的な意味でのみ使用され、限定の目的では使用されていない。
【図１】
2020191682.tif 000003
【図２】
2020191682.tif 000004
【図３】
2020191682.tif 000005
【図４】
2020191682.tif 000006
【図５】
2020191682.tif 000007
【図６】
2020191682.tif 000008
【図７】
2020191682.tif 000009
【図８】
2020191682.tif 000010
【図９】
2020191682.tif 000011
【図１０】
2020191682.tif 000012
【図１１】
2020191682.tif 000013
【図１２Ａ】
2020191682.tif 000014
【図１２Ｂ】
2020191682.tif 000015
【図１３Ａ】
2020191682.tif 000016
【図１３Ｂ】
2020191682.tif 000017
【図１４】
2020191682.tif 000018
【図１５】
2020191682.tif 000019
【図１６】
2020191682.tif 000020